(57)【要約】  【課題】旅行時間を予測しようとする道路区間の、当日の現在時刻までの旅行時間実測データと、同じ道路区間の過去の旅行時間統計データとを用いて、当日の将来時刻における旅行時間を精度よく予測し提供する。  【解決手段】旅行時間を予測しようとする道路区間の、当日の現在時刻までの旅行時間実測データを収集し、前記道路区間について、当日と同じ交通条件の日の、過去に収集された１又は複数の旅行時間統計データを取得し、前記旅行時間統計データの現在時刻以後のデータ列に基づき、現在時刻以後のある時刻ｔの旅行時間予測データを予測し、その予測された旅行時間予測データを当該時刻ｔより所定時間前（ｔ−t0）の旅行時間予測データとして提供する。【選択図】        図９
2006079544.tif 000002
【特許請求の範囲】
【請求項１】
（ａ）旅行時間を予測しようとする道路区間の、当日の現在時刻までの旅行時間実測データを収集し、
（ｂ）前記道路区間について、当日と同じ交通条件の日の、過去に収集された１又は複数の旅行時間統計データを取得し、
（ｃ）前記旅行時間統計データのデータ列に基づき、現在時刻以後のある時刻ｔの旅行時間予測データを予測し、
（ｄ）その予測された旅行時間予測データを当該時刻ｔより所定時間前（ｔ−t0）の旅行時間予測データとして提供することを特徴とする旅行時間提供方法。
【請求項２】
前記所定時間t0は、路上で車両を検知する時刻と、その車両を検知したデータに基づいて旅行時間実測値を求め、旅行時間予測データを予測するまでの時刻又は旅行時間予測データを予測し提供するまでの時刻との時間差である請求項１記載の旅行時間提供方法。
【請求項３】
前記（ａ）の手順で用いる旅行時間実測データは、所定範囲の時間にわたって平滑化された旅行時間実測データである請求項１記載の旅行時間提供方法。
【請求項４】
前記（ｂ）の手順で用いる旅行時間統計データは、所定範囲の時間にわたって平滑化された旅行時間統計データである請求項１記載の旅行時間提供方法。
【請求項５】
前記（ｂ）の手順で、当日と同じ交通条件の日の旅行時間統計データとは、次の(1)から(4)までのいずれかの旅行時間統計データである請求項１記載の旅行時間提供方法。
(1) 当日と同じ日の旅行時間統計データ、
(2) 当日と同じ曜日の旅行時間統計データ、
(3) 当日と同じ天気の日の旅行時間統計データ、
(4) 当日に催事があれば同じ催事があった日の旅行時間統計データ。
【請求項６】
道路ネットワーク上で収集された各道路区間の旅行時間実測データを記憶した旅行時間データベースを用いて、道路区間の将来の旅行時間を予測し提供する装置であって、
前記請求項１から請求項５までのいずれかに記載の旅行時間提供方法を実施することを特徴とする旅行時間提供装置。
【請求項７】
道路ネットワーク上で収集された各道路区間の旅行時間実測データを記憶した旅行時間データベースを用いて、道路区間の将来の旅行時間を予測し提供するためのプログラムであって、
前記請求項１から請求項５までのいずれかに記載の旅行時間提供方法をコンピュータに実行させることを特徴とする旅行時間提供プログラム。
【発明の詳細な説明】
【技術分野】
【０００１】
本発明は、旅行時間を予測しようとする道路区間の、当日の現在時刻までの旅行時間実測データと、同じ道路区間の過去の旅行時間統計データとを用いて、道路区間の当日の将来時刻の旅行時間を予測し提供する方法、装置及びプログラムに関するものである。
【背景技術】
【０００２】
最近の交通需要の増大と、インターネット、携帯電話などの情報伝達媒体の普及に伴い、交通情報予測に対するニーズが高まっている。交通情報のうち、走行車両が道路区間を走行するのに要する時間（旅行時間という）の情報は、交通渋滞の把握、目的地に到達する最短経路や迂回経路の算出、などに有用である。
特に、ある道路区間に注目して、当日の将来時刻の旅行時間を予測することが重要である。将来時刻の旅行時間を予測できれば、渋滞などが予測できるので、当該道路区間を避けた目的地までの経路を探索して車両に通知したり、車両に迂回指示を出したりすることができ、未然に交通渋滞の回避ができる。
【０００３】
そこで、交通計測を行って収集した旅行時間実測データや過去の旅行時間統計データを使って、将来の旅行時間を予測する方法が提案されている。この方法は、当日の現時刻までの旅行時間実測データを取り込み、旅行時間データベースに蓄積された旅行時間統計データの中から、現時刻までの旅行時間実測データの旅行時間の傾向に最も類似するパターンを検索し、類似パターンが現時刻までの旅行時間実測データの変化傾向と似ているときは、類似パターンをそのまま旅行時間予測値として用い、変化傾向は似ているが全体に旅行時間に時間差の生じているときは、その両データの比率を類似パターンに乗算することにより、旅行時間予測データを作成する。
【特許文献１】特開2001-126180号公報
【発明の開示】
【発明が解決しようとする課題】
【０００４】
ところが、交通計測を行って旅行時間実測データを収集する際に、路上計測装置で車両の計測を行う時刻と、路上計測装置から交通情報センターに車両計測データが送信されて、交通情報センターで旅行時間実測データを算出するまでの時刻に時間差が発生する。
この旅行時間実測データに基づいて旅行時間予測データを算出し、算出された旅行時間予測データを、経路サービスを提供する機関や車両ドライバなどに提供すると、前記時間差がそのまま残っているので、被提供者は、時間のずれたデータを受け取ることになる。
【０００５】
そこで本発明は、旅行時間を予測しようとする道路区間の、当日の現在時刻までの旅行時間実測データと、同じ道路区間の過去の旅行時間統計データとを用いて、時間ずれのない精度のよい予測データを提供することができる旅行時間提供方法、装置及びプログラムを提供することを目的とする。
【課題を解決するための手段】
【０００６】
本発明の旅行時間提供方法は、旅行時間を予測しようとする道路区間の、当日の現在時刻までの旅行時間実測データを収集し、前記道路区間について、当日と同じ交通条件の日の、過去に収集された１又は複数の旅行時間統計データを取得し、前記旅行時間統計データのデータ列に基づき、現在時刻以後のある時刻ｔの旅行時間予測データを予測し、その予測された旅行時間予測データを当該時刻ｔより所定時間前（ｔ−t0）の旅行時間予測データとして提供する方法である（請求項１）。
【０００７】
前記の方法によれば、旅行時間を予測しようとする道路区間の当日の現在時刻までの旅行時間実測データと、当日と同じ交通条件の日の、過去に収集された１又は複数の旅行時間統計データとを用いて、現在時刻以後の旅行時間を予測する。
ところが、路上計測装置で車両の計測を行ってから、路上計測装置から交通情報センターに車両計測データが送信されて交通情報センターで旅行時間実測データを算出するまでに時間差が現れる。
【０００８】
旅行時間統計データは、旅行時間実測データに基づいて作成されるので、旅行時間統計データには、この時間差がそのまま残るから、時間変動傾向のパターンを比較する場合、特に時間差を考慮することはない。
しかし、旅行時間予測データを算出し提供するとき、この時間差は表に現れる。
そこで、本発明では、旅行時間予測データを提供するとき、所定時間だけ前にずらした時点のデータとして提供する。こうすれば、時間ずれのない旅行時間予測データとなる。例えば、前記時間差が１５分であるとき、午前９時のタイムスタンプの押された旅行時間統計データを用いて旅行時間を予測したとき、その旅行時間予測データを、８時４５分時点の予測データとして提供する。
【０００９】
これにより、現在時刻以後の旅行時間を精度よく予測することができ、被提供者の使いやすいデータとなる。
前記所定時間t0は、路上で車両を検知する時刻と、その車両を検知したデータに基づいて旅行時間実測値を求め、旅行時間予測データを予測するまでの時刻又は旅行時間予測データを予測し提供するまでの時刻との時間差である（請求項２）。
【００１０】
旅行時間実測データや旅行時間統計データは、所定範囲の時間にわたって平滑化された旅行時間統計データであることが望ましい（請求項３，４）。平滑化するのは、平滑化されない生のデータにはノイズが多く含まれているからである。
前記交通条件が同じ日の旅行時間統計データには、当日と同じ日の旅行時間統計データ、当日と同じ曜日の旅行時間統計データ、当日と同じ天気の日の旅行時間統計データ、当日に催事があれば同じ催事があった日の旅行時間統計データなどがある（請求項５）。
【００１１】
さらに本発明の旅行時間提供装置は、前記請求項１から請求項５までのいずれかに記載の旅行時間提供方法を実施するものである（請求項６）。
また本発明の旅行時間提供プログラムは、前記請求項１から請求項５までのいずれかに記載の旅行時間提供方法をコンピュータに実行させるものである（請求項７）。
【発明の効果】
【００１２】
以上のように本発明によれば、予測された旅行時間予測データを当該時刻ｔより所定時間前（ｔ−t0）の旅行時間予測データとして提供することにより、時間差を補正することができるので、精度のよい予測を行うことができる。したがって、予測した旅行時間を、渋滞予測や、最短経路や迂回経路などの算出に活用することができる。
【発明を実施するための最良の形態】
【００１３】
以下、本発明の実施の形態を、添付図面を参照しながら詳細に説明する。
図１は道路地図であり、交差点から交差点までの間の一方向の道路区間Ｌを示している。車両感知器や路側ビーコンは、この道路区間Ｌのいずれかの位置、例えば片端に設けられている。車両感知器は、道路の上から超音波や光のパルスを発射して、戻ってくる時間を測定することによって車両の存在を感知するセンサである。路側ビーコンは、車載通信装置と双方向通信を行うことによって、車両の識別を行うとともに、その車両が前回通過した路上ビーコンの情報やその通過時刻の情報を取得する通信装置である。
【００１４】
図２は、旅行時間提供方法を実施するための旅行時間提供装置の概略図である。旅行時間提供装置は、コンピュータなどを含む処理装置１と、旅行時間実測データなどを記憶する記憶装置２と、管轄道路の各地点に設置された車両感知器や路上ビーコンからの信号を取り入れるためのインターフェイス３と、表示装置、キーボードなどの入出力装置４とを備えている。
【００１５】
処理装置１が、旅行時間のデータを収集する方法をいくつか説明する。処理装置１は、車両感知器の感知信号に基づいて交通量ｑ（単位時間（例えば５分間）あたりの車両の通過台数）を算出する。車両感知器は道路区間ごとに設置されているので、交通量ｑも道路区間ごとに求められる。さらに処理装置１は、占有時間Ｏ（単位時間（例えば５分間）内に、各車両ｋが車両感知器を横切った時間ｔkの総和Σｔk）を検知する。処理装置１は、交通量ｑ、占有時間Ｏ、及び平均車長（一定値とする）Ｉを用いて、式Ｖ＝Ｉ・ｑ／Ｏにより車両の平均速度Ｖを計算し、これと道路区間の長さＬを用いて、式Ｔ＝Ｌ／Ｖにより旅行時間Ｔを計算する。
【００１６】
道路区間に路上ビーコンが設置されていて、車載装置との双方向通信により車両が識別できるときは、同一車両が道路区間の端を通過した時刻と道路区間の他の端を通過した時刻とから、道路区間を走行するのに要した旅行時間を求めることもできる。単位時間（例えば５分間）内に複数の車両を同定できたならば、各車両の旅行時間の平均をとる。
以上の他に、カメラの計測画像から車両のプレートナンバーをマッチングして車両を同定し、同一車両が道路区間の端を通過した時刻と道路区間の他の端を通過した時刻とから、道路区間を走行するのに要した時間Ｔを求めるようにしてもよい。この場合も、単位時間（例えば５分間）内に複数の車両を同定できたときは、各車両の旅行時間の平均をとる。
【００１７】
以上のようにして求めた複数種類の旅行時間について、重み付き平均値をとって、これを旅行時間としてもよい。重みとしては、経験上定めた値を採用すればよい。
処理装置１は、旅行時間のデータを、道路区間ごと時間帯ごとに記憶装置２に蓄積する。この蓄積されたデータを「旅行時間統計データ」という。この蓄積をするときに、時系列データのばらつきを排除するため、データの平滑化を行うことが望ましい。平滑化は、後述するように、移動平均、指数平滑等の平滑化手法を用いて行う。しかし、これ以外に、時系列データに対して離散コサイン変換をして複数の周波数成分に分解し、分解された周波数成分のうち、周波数の高い部分は除去し、残った周波数の低い成分だけを用いて離散コサイン逆変換をして、ばらつきの影響が排除された時系列データを作成してもよい。前記離散コサイン変換に代えて、フーリエ変換やウェーブレット変換を採用してもよい。
【００１８】
次に処理装置１は、当日の予測したい道路区間について、以下の処理により旅行時間の予測を行う。
図３は、旅行時間の予測処理を説明するためのフローチャートである。
まず、処理装置１は、管轄道路の中から予測したい道路区間を指定する。そして、当日と同じ日、曜日、天候、催事の有無などを満たす日を選定し、その日の時間帯（例えば５分間）ごとの旅行時間統計データを抽出する（ステップＳ１）。ここに、日、曜日、天候、催事の有無など、旅行時間とその分布に影響を与える条件を「交通条件」という。交通条件の同じ日の旅行時間統計データを抽出するのは、交通条件が同じ日であれば、その日に突発的な事象（事故、道路工事、異常気象など）が起こらなかった限り、旅行時間とその分布が似ていると考えられるので、精度のよい旅行時間の予測ができるからである。
【００１９】
例えば、「１月１日」という特異な日の旅行時間を予想したい場合、経験上、「日」が交通条件の最大の要素となるので、去年の１月１日、一昨年の１月１日といった旅行時間統計データを抽出する。当日が「雨の金曜日」であることに注目するならば、前回雨であった金曜日、前々回雨であった金曜日などの旅行時間統計データを抽出する。
次に処理装置１は、記憶装置２から当日収集された旅行時間データ（「旅行時間実測データ」という）を読み出す。これにより、特定された各道路区間について、現在時刻に至るまでの時間帯（例えば５分間）ごとの時系列データが得られる。
【００２０】
ただし、車両感知器や路上ビーコンで車両が道路で計測された時刻と、その計測に基づき旅行時間実測データが算出され、旅行時間実測データに刻印された時刻とは、通常１５分くらいの時間のずれがある。この時間のずれを考慮して旅行時間を提供する方法については後に説明する。
処理装置１は、交通条件の同じ日の旅行時間統計データの中から、この当日の旅行時間実測データと時間変動の傾向（パターン、トレンド）の似ている旅行時間統計データを、通常は複数選定する（ステップＳ２）。この選定方法は、後に詳述する。
【００２１】
つぎに、選定された旅行時間統計データの現在時刻以後の将来に注目し、この将来時刻において、平均的傾向からかけ離れたデータ部分を除外する（ステップＳ３）。これは、その日に突発的な事象（事故、道路工事、異常気象など）が起こって、旅行時間に異常値が現れた場合にそのデータを除外するためである。この除外処理も後述する。
そして、除外済みの旅行時間統計データに対して、それらのデータを代表するデータを算出する（ステップＳ４）。例えば、単純平均をとる、重み付け平均をとる、中央値をとる、などである。
【００２２】
さらにこの代表データの現在時刻の旅行時間に対して、当日の旅行時間実測データの現在時刻の旅行時間との差又は比をとる（ステップＳ５）。この差又は比に基づいて、当日の将来時刻の旅行時間予測データを算出する（ステップＳ６）。
次に以上の各ステップの手順を、具体例をあげて詳しく説明する。
まず記号を導入する。当日の旅行時間実測データをＴ0(j)と書く。添え字"０"は当日であることを表す。また、旅行時間統計データをＴk(j)と書く。添え字ｋが"１"であれば交通条件が同じである前日を表し、添え字ｋが"２"であれば交通条件が同じである前々日などを表す。括弧内の"ｊ"は時間帯を表す。現在の時間帯ならばｊ＝０、１つ前の時間帯ならばｊ＝−１、２つ前の時間帯ならばｊ＝−２、１つ先の時間帯ならばｊ＝１、２つ先の時間帯ならばｊ＝２、などである。
【００２３】
図４は、当日の旅行時間実測データＴ0(j)と、ステップＳ１で抽出された交通条件の同じ日の旅行時間統計データＴ1(j) ，Ｔ2(j) ，...，ＴN(j)を描いたグラフである。Ｎは抽出された旅行時間統計データの総数である。現在時刻とそれ以前の時刻ｊ＝０，−１，−２，・・・のデータのみを描いている。
ここで、旅行時間実測データＴ0(j)と旅行時間統計データＴ1(j) ，Ｔ2(j) ，...，ＴN(j)とは、前述したように、平滑化されたデータを用いる。平滑化されていないデータを用いれば、変動が多すぎて、実用になりにくいからである。
【００２４】
平滑化方法として、当該時刻を含む過去の範囲の時刻にわたって平均をとられたデータを用いることが好ましい。過去の範囲の時刻にわたって平均をとるのは、旅行時間実測データＴ0(j)は過去のデータしか収集できないので、将来の時刻にわたって平均をとることができない。例えば、指数平滑を採用する。指数平滑とは、今回のデータと前回のデータとを重みをつけて足すことにより平滑化する方法である。前回のデータも、前々回のデータの重みがかかっているので、過去の履歴を引きずったデータとなる。
【００２５】
処理装置１は、旅行時間実測データＴ0(j)と、時間変動の傾向（パターン、トレンド）の似ている旅行時間統計データをＴ1(j) ，Ｔ2(j)，...を選択する。この似ているかどうかの判定には、各旅行時間統計データＴk(j)にごとに、次のような距離評価関数F(k)を作成する。k=1からNまでのいずれかである。
F(k)＝｛Σ[Ｔ0(j)−Ｔk(j)]2｝1/2 
ここで総和Σは、現在時刻からj=0から、過去に遡った所定の時刻（例えば当日の始まり、早朝の時刻）までとる。１つ１つの旅行時間統計データＴk(j)に対応するF(k)が小さいほど、Ｔ0(j)とＴk(j)との距離が短く、時間変動の傾向（パターン、トレンド）が似ている。
【００２６】
なお、F(k)を算出するときに、旅行時間統計データＴk(j)の時刻ｊを少し前後にずらせば（つまり旅行時間統計データのパターンを時間方向に平行移動させれば）、F(k)が激減することがある。この場合、旅行時間統計データの時刻をずらしたものを改めて旅行時間統計データとして使用する。時刻ｊをずらす量をあまり長くとれば、パターン比較における時刻の信頼性が低下してしまうので、時刻ｊをずらす上限値（例えば前後１０分）を設けるとよい。
【００２７】
また、他の評価関数として、傾きの関数G(k)を採用してもよい。
G(k)＝｛Σ[（Ｔ0(j)−Ｔ0(j-1)）−（Ｔk(j)−Ｔk(j-1)）]2｝1/2 
総和Σは、現在時刻からj=0から、過去に遡った所定の時刻までとる。G(k)が小さいほどＴ0(j)の傾きとＴk(j)の傾きが近いので、時間変動の傾向（パターン、トレンド）が似ている。G(k)を算出するときに、旅行時間統計データＴk(j)の時刻ｊを少し前後にずらせばG(k)が激減する場合は、旅行時間統計データの時刻をずらしたものを改めて旅行時間統計データとして使用してもよい。  この場合も時刻ｊをずらすのに上限値（例えば前後１０分）を設けるとよい。
【００２８】
前記評価関数F(k)とG(k)との線形和
H(k)＝αF(k)＋βG(k)
を評価関数としてもよい。
この評価関数の値（評価値という）がしきい値よりも小さな旅行時間統計データＴk(j)を、１又は複数選択する。しきい値よりも大きな旅行時間統計データは捨てる。
【００２９】
図５は、しきい値を固定した場合の旅行時間統計データＴk(j)の個数分布のグラフであり、横軸は評価値を示す。しきい値よりも小さな旅行時間統計データＴk(j)が採用される。
図６は、しきい値を変数とした場合の旅行時間統計データＴk(j)の個数分布を示すグラフである。もっとも評価値の小さな旅行時間統計データＴk(j)の評価値ａに定数ｒをかけた値ｒａをしきい値としている。
【００３０】
このようにして、当日の旅行時間実測データとパターン、トレンドの似ている１又は複数の旅行時間統計データが選定される。選択された旅行時間統計データＴk(j)の個数をＭとする。
次に、これらの選定された旅行時間統計データに対して、現在時刻より後の値に基づいた処理を行う。
【００３１】
図７は、当日の旅行時間実測データＴ0(j)と、当日の旅行時間実測データＴ0(j)とパターン、トレンドが似ているとして選定された旅行時間統計データＴ1(j) ，Ｔ2(j)，・・，ＴM(j)を描いたグラフである。現在時刻とそれ以後の時刻ｊ＝０，１，２，・・・のデータのみを描いている。
ここで、旅行時間統計データＴ1(j) ，Ｔ2(j)等は、平滑化されたデータを用いる。平滑化されていないデータを用いれば、変動が多すぎて、実用になりにくいからである。平滑化方法として、当該時刻を含む前後の範囲の時刻にわたって平均をとることが望ましい。例えば移動平均をとる。移動平均とは、今回のデータとその前後一定数のデータとを重みをつけて足すことにより平滑化する方法である。旅行時間統計データは、すでに全時間にわたって取得され蓄積されているデータであるので、平均をとるにあたって、将来時刻のデータも含めることができる。
【００３２】
まず、将来時刻において、選定された旅行時間統計データＴ1(j) ，Ｔ2(j) ，・・，ＴM(j)の平均をとる。この平均をとった旅行時間統計データをＴm(j)として太線で描いている。
この平均旅行時間統計データＴm(j)から大きく離れた旅行時間統計データを考慮すれば旅行時間予測精度の低下につながるので、そのような、平均旅行時間統計データＴm(j)から大きく離れた部分を除外する。このために時間帯ｊにおける偏差値Ｙ(k.j)を導入する。
【００３３】
Ｙ(k,j)＝｛［Ｔk(j)−Ｔm(j)］2／Ｎ｝1/2
この偏差値Ｙ(k.j)がしきい値以上あれば、平均旅行時間統計データＴm(j)から距離が離れているとして、当該時間帯のデータＴk(j)を除外する。
なお、平均旅行時間統計データＴm(j)を求めたときに求まった標準偏差を含む、次のような偏差値Ｚ（k,j）を用いてもよい。
【００３４】
Ｚ（k,j）＝５０＋１０[Ｔk(j)−Ｔm(j)]／（標準偏差）
この偏差値Ｚ（k,j）が、例えば３０未満又は７０以上の場合、当該時間帯のデータＴk(j)を除外する。
これらの平均的傾向からかけ離れたデータは、突発的な事象（事故、道路工事、異常気象など）に基づくものと考えられるので、旅行時間の予測精度の低下要因になると考えられるからである。
【００３５】
図７のグラフの場合、Ｔ4(2), Ｔ4(3)といった離れたデータが除外される。
除外処理が終われば、除外されなかった旅行時間統計データの平均をとる。この除外されなかった旅行時間統計データについての平均旅行時間統計データをＴm′(j)と書く。この平均旅行時間統計データＴm′(j)は、平均的傾向からかけ離れたデータが除外されているという点で、前述した平均旅行時間統計データＴm(j)よりもさらに精度がよくなっている。
【００３６】
次に、この精度のよい平均旅行時間統計データＴm′(j)を用いて、当日の旅行時間実測データＴ0(j)を、将来時刻に向かって延長する。この延長されたデータを「旅行時間予測データ」という。図８は、旅行時間予測データを求める方法を示すグラフである。
図８に示すように、旅行時間予測データ（破線）は、当日の旅行時間実測データの現在値Ｔ0(0)と、平均旅行時間統計データの現在値Ｔm′(0)との差ΔＴを、平均旅行時間統計データＴm′(j)に加えることにより求まる。
【００３７】
また、当日の旅行時間実測データの現在値Ｔ0(0)と、平均旅行時間統計データの現在値Ｔm′(0)との比ΔＲを、平均旅行時間統計データＴm′(j)にかけて求めてもよい。
以上のようにして、当日と交通条件が同じ日の旅行時間統計データの中から、旅行時間実測データとパターン、トレンドの類似する旅行時間統計データを採用し、さらに将来時刻において、その旅行時間統計データの中からかけ離れた値を除外した上で旅行時間統計データの平均をとり、この平均をとった旅行時間統計データに基づいて、旅行時間実測データを延長することにより、当日の旅行時間予測データを算出する。この処理により、当日の将来時刻の旅行時間を精度よく算出することができる。
【００３８】
次に、本発明の旅行時間提供方法を説明する。前述したように、旅行時間実測データは、路上で車両を検知する時刻と、処理装置１にデータが送られてきて処理するまでの時刻との間に時間差（通常１５分位）がある。旅行時間統計データも旅行時間実測データに基づいて作成されるため、同様の時間差がある。そこで、処理装置１が旅行時間予測データを外部機関に提供する際に、旅行時間予測データの刻印時刻を、前記時間差だけ前にずらした上で、外部機関に提供することが望ましい。
【００３９】
図９は、過去のある日に取得された旅行時間実測データＴ0(j)、同じ日の前記時間差だけ前にずらした旅行時間予測データＴk′(j)、同じ日の前記時間差補正をしていない旅行時間予測データＴk(j)、の各パターンを示すグラフである。横軸は時刻、縦軸は旅行時間（単位は任意）を表す。旅行時間実測データＴ0(j)は、実際に車両を計測した時刻のデータとするため、刻印された処理時刻から所定時間だけ前にずらしている。したがって、実際の交通流を表したグラフとみなすことができる。
【００４０】
前記時間差だけ前にずらした旅行時間予測データＴk′(j)を提供することにより、旅行時間予測データＴk′(j)は、旅行時間予測データＴk(j)と比較して、実際の交通流である旅行時間実測データＴ0(j)に、より近い形をとってくる。このように時間差だけ前にずらした旅行時間予測データＴk′(j)を用いれば、特に、午前５時あたりからの旅行時間の立ち上がり（車両が混み始める時刻）を素早くとらえることができる。
【００４１】
以上で、本発明の実施の形態を説明したが、本発明の実施は、前記の形態に限定されるものではなく、本発明の範囲内で種々の変更を施すことができる。
【図面の簡単な説明】
【００４２】
【図１】交差点から交差点までの間の一方向の道路区間Ｌを示す道路地図である。
【図２】本発明の旅行時間提供方法を実施するための旅行時間提供装置の概略図である。
【図３】本発明の旅行時間提供方法の流れを説明するためのフローチャートである。
【図４】当日の旅行時間実測データＴ0(j)、及び交通条件の同じ日の旅行時間統計データＴ1(j) ，Ｔ2(j)を描いたグラフである。
【図５】しきい値を固定した場合の旅行時間統計データＴk(j)の個数分布のグラフである。
【図６】しきい値を変数とした場合の旅行時間統計データＴk(j)の個数分布を示すグラフである。
【図７】当日の旅行時間実測データＴ0(j)とパターン、トレンドの似ている旅行時間統計データＴ1(j) ，Ｔ2(j)，・・・を描いたグラフである。
【図８】当日の将来時刻の旅行時間予測データを求める方法を説明するためのグラフである。
【図９】処理装置１が旅行時間予測データを外部機関に提供する際に、旅行時間予測データの時刻を、所定時間差だけ前にずらした上で提供することの効果を説明するためのグラフである。
【符号の説明】
【００４３】
１  処理装置
２  記憶装置
３  インターフェイス
４  入出力装置
Ｌ  道路
【図１】
2006079544.tif 000003
【図２】
2006079544.tif 000004
【図３】
2006079544.tif 000005
【図４】
2006079544.tif 000006
【図５】
2006079544.tif 000007
【図６】
2006079544.tif 000008
【図７】
2006079544.tif 000009
【図８】
2006079544.tif 000010
【図９】
2006079544.tif 000011